(57)【特許請求の範囲】
【請求項１】
果実や野菜等の青果物が収納され、上面が開口し、底面と該底壁から上方に向けて拡大するテーパ状に傾斜した前後左右の側壁とを有するトレイの前記開口を被覆する青果物包装トレイのラップシートであって、矩形透明フィルムシートの左右側辺裏面に前記トレイへの貼着部を形成すると共に、天地側辺の片側辺縁の一箇所のみに引き裂き用切り欠きを形成したことを特徴とする青果物包装トレイのラップシート。
【請求項２】
引き裂き用切り欠きが、ラップシートの天地側辺の略中央に設けられていることを特徴とする請求項１記載の青物物包装トレイのラップシート。
【請求項３】
引き裂き用切欠きが、スリットであることを特徴とする請求項１又は請求項２記載の青果物包装トレイのラップシート。
【発明の詳細な説明】
【技術分野】
【０００１】
本発明は、イチゴやぶどう等の青果物を収納して店頭に陳列する際の包装材に関し、とくに包装トレイの上面開口を被うラップシートに関するものである。
【背景技術】
【０００２】
例えば、イチゴやぶどう等の青果物を店頭販売する際には、プラスチック製の深底トレイが使用される。そして、一般的には青果物を収納して透明なラップシートで被って封止される。このようなラップシートでトレイの開口部を被う場合、通常は接着テープを用いて容器の外側に貼着する（特許文献１参照）。また、特許文献２には、トレイの開口を被い、トレイの周面又は底面に延びる樹脂製フィルムの被覆片と、周面方向への延長片の反対側に被覆片より幅が広くトレイの一側全面にかぶさるガゼット折り袋部とを一体に連接し、トレイの一部をこの袋部に套嵌して装着するようにしたものが、特許文献３には、果実や野菜等の青果物が収納され、かつ底壁と上方に向けて外側方に広がるようにテーパ状に傾斜した前後左右の側壁とを有する上端が、開口した透明ビニール製トレイに、その開口部を被うように装着される青果物用パックフィルムが開示されている。
【０００３】
また、従来ラップシートでトレイを被う際に、セロハンテープ等の接着テープを使用して貼り付ける作業が非常に面倒であったため、剥離自在の離型紙を装着した貼着部をラップシートの両側に予め塗布加工したものが開発され、迅速かつ美観も良好にラップできるようになってきている。しかしながら、その開封に際してラップシートの接着部全面がトレイに強固に貼り付いてしまうため、開封する際に意外と剥がし難く、不均等に力が加わるとトレイが転倒したり、収納物が飛び出したりするという不具合が生じることがある。シートを刃物で切断したり、そのまま人手で引き裂く場合もあるが、刃物使用による安全性や人力によるフィルム剛性による手切れ難さに問題が残る。そこで、例えば、飲料ボトルのシュリンク包装体のミシン目に凸部や摘み片を付して被覆シートを裂き易くし開封性を改善したものなどがある（特許文献４、特許文献５参照。）。
【先行技術文献】
【特許文献】
【０００４】
【特許文献１】実公平１−３６７７５号公報
【特許文献２】実開昭６２−２０３８５５号公報
【特許文献３】特許第２８０７１６３号公報
【特許文献４】実開平５−７７０５９号公報
【特許文献５】特許第２９２２４１３号公報
【発明の概要】
【発明が解決しようとする課題】
【０００５】
飲料ボトルのシュリンク包装などは、その被覆シートにミシン目が入っていて一見すると裂き易く見えるが、ミシン目へのガイドがないため、それほどうまく引き裂けないという難点がある。本発明もまた、上記従来技術の課題に鑑み、人手による引き裂き性に優れ、ラップの開封を容易かつ確実に行うことができ、開封時のトレイの転倒や収納物の落下を防止することができる青果物包装トレイのラップシートを提供することを目的とする。
【課題を解決するための手段】
【０００６】
このため本発明は、果実や野菜等の青果物が収納され、上面が開口し、底面と該底壁から上方に向けて拡大するテーパ状に傾斜した前後左右の側壁とを有するトレイの前記開口を被覆する青果物包装トレイのラップシートであって、矩形透明フィルムシートの左右側辺裏面に前記トレイへの貼着部を形成すると共に、天地側辺の片側辺縁の一箇所のみに引き裂き用切り欠きを形成したことを第１の特徴とする。また、引き裂き用切り欠きが、ラップシートの天地側辺の略中央に設けられていることを第２の特徴とする。さらに、引き裂き用切欠きが、スリットであることを第３の特徴とする。
【発明の効果】
【０００７】
本発明によれば、切欠きを起点にして引き裂き力を付与すると抵抗なく一気に開封でき、開封性が極めて改善される。また、この切り欠き加工は既設装置の切断加工刃やミシン目加工刃を変更するだけで容易に実施できるので、経済的である。
【図面の簡単な説明】
【０００８】
【図１】本発明に係るラップシートの一実施例を示す斜視図である。
【図２】（ａ）は図１のラップシートの平面図、（ｂ）は他の実施例を示す平面図である。
【図３】本発明に係るラップシートの他の実施例を示す平面図である。
【図４】本発明に係るラップシートの製造工程の一部を示す平面図である。
【発明を実施するための形態】
【０００９】
以下、本発明に係る青果物包装トレイのラップシートの実施形態を図面に示す実施例に基づいて説明する。
【実施例】
【００１０】
図１乃至図３に示すように、本発明に係るラップシート１は、イチゴやぶどうなどの青果物Ｆを店頭に陳列する際に使用されるプラスチック製の深底トレイ４の上面開口４ａを被うための透明樹脂製フィルムで、例えば、延伸加工によりフィルム状に形成されたポリスチレン又はポリプロピレン等の合成樹脂からなり、青果物Ｆを収容した状態のトレイ４の上面開口４ａを被う被覆部と、この被覆面の左右の折返し部とから横長矩形のシート状に一体に形成されており、折返し部の端部裏面には一対の貼着部２が形成されている。
【００１１】
すなわち、トレイ４は、底壁４ｃと、この底壁４ｃから上方に向けて拡大するテーパ状に傾斜した前後左右の側壁４ｂとを有し、これら左右の側壁４ｂに前述したラップシート１の左右側辺１ｃ、１ｄに設けた貼着部２が貼着して封止される。粘着部２には、その粘着面にライナー２ａが剥離自在に貼り付けられている。
【００１２】
ラップシート１は全体が上面開口４ａの内法と同程度の寸法にされ、左右いずれか一方の貼着部２をトレイ１の側壁４ｂに貼り付け、これと逆方向に引っ張りながら他方の貼着部２をトレイ１の側壁４ｂに貼り付ける。これによりラップシート１は上面開口１ａに水平且つ適度な張力を持って貼り付けることができ、トレイ４内部に収納された青果物Ｆを適度に押圧してその振動を防止することができる。また、ラップシート１の被覆面の表面には当該トレイ４に収納される果菜の品名、商標、販売者名、広告画像等が印刷される。
【００１３】
そして、ラップシート１の天地側辺縁１ａにはシート１を開封するための引き裂き用の略Ｖ字状の切欠き（切込み）３が設けられ、切欠き３を起点にして人手により引き裂き力を付与するとシート１は抵抗なく一気に破断して極めて容易に開封することができる。尚、この切欠き３は、天地側辺１ａ、１ｂの少なくとも片側辺縁の一箇所のみに形成されていればよく、所期の効果は充分に得られるが、図３に示すように、天地側辺１ａ、１ｂが遊端である場合は、その略中央、すなわち被覆面の略中央に設けると、左右にバランス良く力が加わり、トレイが極めて安定した状態で開封することができて好ましい。しかしながら、通常、トレイ４にはイチゴやぶどうが盛り上がった状態で収容されるので、果実等が溢れ落ちることを防止するため天地が別途接着テープにより封止される場合があることを鑑みると、切欠き３はシート辺の中央部分を避けて設ける方が実用的ではある。尚、図３に示すように、切欠き（切込み）３は単純な形状のスリットでもよい。
【００１４】
次に、ラップシート１の製造に際しては、図４に示すように、シート状の原反に印刷し、貼着部２を加工した後、順次移動して裁断したりミシン目を入れることは従来と同様であるが、従来は単に直線状の切断刃やミシン刃を用いていたのに対し、本発明ではこれらの刃の一部に所望する切欠き３の形状の突起部をつくることで自動的に加工できる。すなわち、既設装置の切断加工刃やミシン目加工刃を変更するだけで容易に実施できるので製造コストも安価である。
【符号の説明】
【００１５】
１  ラップシート
１ａラップシートの天側辺
１ｂラップシートの地側辺
１ｃラップシートの左側辺
１ｄラップシートの右側辺
２  貼着部
２ａライナー
３  切欠き
４  青果物包装トレイ
４ａトレイの上面開口
４ｂトレイの側壁
４ｃトレイの底壁
５  ミシン目
Ｆ  青果物
【図１】
0005733496.tif 000002
【図２】
0005733496.tif 000003
【図３】
0005733496.tif 000004
【図４】
0005733496.tif 000005